(57)【要約】      （修正有）【課題】簡素かつ安価な回路構成を用いて照明灯の光量を時間の経過とともに可変させることにより、照明灯の駆動時における輝度バラツキを抑えてカメラにて撮像される映像の視認性を高める。【解決手段】子機１ａ、１ｂの光量制御部を構成する可視光照明灯駆動回路１０８ａ、１０８ｂ及び子機制御回路１１１ａ、１１１ｂにより、カメラ１０１ａ、１０１ｂにて撮像される映像の明るさを確保するために点灯される照明灯１０２ａ、１０２ｂを構成する可視光ＬＥＤ１２０ａの点滅の周期をＰＦＭ駆動して点滅の周期を時間の経過に伴い変化させる、又は照明灯を構成する可視光ＬＥＤ１２０ｂの点消灯の周期をＰＷＭ駆動して点消灯の周期を時間の経過に伴い変化させることで、当該照明灯の光量を増加させる。【選択図】図２
2012175610.tif 000002
【特許請求の範囲】
【請求項１】
カメラ（１０１ａ）を有する子機（１ａ）と、前記子機のカメラにて撮像された映像を出画するためのモニタ（２０１）を有する親機（２）とを備えるテレビドアホン装置であって、
前記子機には、前記カメラにて撮像される映像の明るさを確保するために点灯される照明灯（１０２ａ）と、前記照明灯の点滅の周期（ｆ１、ｆ２）をＰＦＭ駆動して前記点滅の周期を時間の経過に伴い変化することで当該照明灯の光量を増加させるための光量制御部（１０８ａ、１１０ａ）とを備えることを特徴とするテレビドアホン装置。
【請求項２】
カメラ（１０１ｂ）を有する子機（１ｂ）と、前記子機のカメラにて撮像された映像を出画するためのモニタ（２０１）を有する親機（２）とを備えるテレビドアホン装置であって、
前記子機には、前記カメラにて撮像される映像の明るさを確保するために点灯される照明灯（１０２ｂ）と、前記照明灯の点消灯の周期（ｔ１、ｔ２）をＰＷＭ駆動して前記点消灯の周期を時間の経過に伴い変化することで当該照明灯の光量を増加させるための光量制御部（１０８ｂ、１１０ｂ）とを備えることを特徴とするテレビドアホン装置。
【請求項３】
前記照明灯は、可視光の発光体と、前記可視光の発光体が発光していないときに点灯する赤外光の発光体とを有することを特徴とする請求項１又は請求項２記載のテレビドアホン装置。
【発明の詳細な説明】
【技術分野】
【０００１】
本発明は、子機のカメラにて撮像された映像を親機のモニタに出画するテレビドアホン装置に係り、特に、カメラにて撮像される映像の明るさを確保するために点灯される照明灯の光量を、時間の経過とともに変化させることができるテレビドアホン装置に関する。
【背景技術】
【０００２】
従来から、夜間時等においてカメラにて撮像される映像の明るさを確保するために照明灯を点灯させるにあたり、来訪者等の人物の目に対する過度な刺激を抑えるため、照明灯の光量を時間の経過とともに増加させる種々の手段が開示されている（例えば、特許文献１、２を参照。）。
【先行技術文献】
【特許文献】
【０００３】
【特許文献１】特許第３５８６０７１号公報
【特許文献２】特許第４１４３９７１号公報
【発明の概要】
【発明が解決しようとする課題】
【０００４】
背景技術に記載した特許文献１のカラーテレビドアホン装置及び特許文献２のテレビインターホンシステムによれば、それぞれ、コンデンサが有する充電特性を利用して照明ＬＥＤ／照明光源の光量の時間的な変化を制御しているため、部品点数の増加やコンデンサ容量の公差によって、その変化が変動していた。
【０００５】
また、特許文献２のテレビインターホンシステムによれば、マイクロプロセッサに内蔵されたテーブル値を用いた制御手段が適用されているため、照明光源の光量の時間的な変化の変動は回避される一方、デジタル値であるテーブル値を実制御に使用するにあたり、アナログ値に変換するためのＤ／Ａコンバータが必要となり、回路規模が大きくなりコストも増大することがあった。
【０００６】
本発明は、これらの難点を解消するためになされたもので、簡素かつ安価な回路構成を用いて照明灯の点滅の周期又は点消灯の周期を時間の経過とともにデジタル制御し、当該照明灯の光量を増加させることができるテレビドアホン装置を提供することを目的としている。
【課題を解決するための手段】
【０００７】
前述の目的を達成するため、本発明の第１の態様であるテレビドアホン装置は、カメラを有する子機と、子機のカメラにて撮像された映像を出画するためのモニタを有する親機とを備えるテレビドアホン装置である。子機には、カメラにて撮像される映像の明るさを確保するために点灯される照明灯と、照明灯の点滅の周期をＰＦＭ駆動して点滅の周期を時間の経過に伴い変化することで当該照明灯の光量を増加させるための光量制御部とを備えている。
【０００８】
また、本発明の第２の態様であるテレビドアホン装置は、カメラを有する子機と、子機のカメラにて撮像された映像を出画するためのモニタを有する親機とを備えるテレビドアホン装置である。子機には、カメラにて撮像される映像の明るさを確保するために点灯される照明灯と、照明灯の点消灯の周期をＰＷＭ駆動して点消灯の周期を時間の経過に伴い変化することで当該照明灯の光量を増加させるための光量制御部とを備えている。
【０００９】
また、本発明の第３の態様であるテレビドアホン装置は、本発明の第１の態様又は第２の態様において、照明灯は、可視光の発光体と、可視光の発光体が発光していないときに点灯する赤外光の発光体とを有するものである。
【発明の効果】
【００１０】
本発明のテレビドアホン装置によれば、子機のカメラにて撮像される映像の明るさを確保するために点灯される照明灯の点滅の周期又は点消灯の周期を、簡素かつ安価な回路構成を用いて時間の経過とともにデジタル制御することにより、当該照明灯の光量を増加させることができるため、来訪者等の人物の目に対する過度な刺激を抑えることができる。
【図面の簡単な説明】
【００１１】
【図１】図１は、本発明の第１、第２の実施例によるテレビドアホン装置の全体構成を示すシステム説明図である。
【図２】図２は、本発明の第１、第２の実施例によるテレビドアホン装置の具体的な構成を示す回路ブロック図である。
【図３】図３（Ａ）、（Ｂ）はそれぞれ、本発明の第１、第２の実施例によるテレビドアホン装置において照明灯の駆動制御のために適用されるパルス波形図である。
【発明を実施するための形態】
【００１２】
以下、本発明のテレビドアホン装置を適用した実施の形態例について、図面を参照して説明する。
【００１３】
図１は、本発明の第１、第２の実施例によるテレビドアホン装置の全体構成図である。このテレビドアホン装置には、玄関、エントランス等の屋外に設置される子機（以下、第１、第２の子機という。）１ａ、１ｂと、住戸内に設置され子機・親機ラインＬを経由して第１、第２の子機１ａ、１ｂに接続される親機２とで構成されている。
【００１４】
同図に示す第１、第２の子機１ａ、１ｂには、子機操作部１００ａ、１００ｂ、カメラ１０１ａ、１０１ｂ、照明灯１０２ａ、１０２ｂ、子機マイク１０３ａ、１０３ｂ及び子機スピーカ１０４ａ、１０４ｂが備えられている。
【００１５】
この第１、第２の子機１ａ、１ｂにおいて、子機操作部１００ａ、１００ｂは、玄関、エントランス等の住戸外に居る来訪者が住戸内に在室中の居住者を呼出すために操作するものであり、例えば、呼出ボタンにて構成されている。また、カメラ１０１ａ、１０１ｂは、被写体である例えば、呼出操作を行った来訪者の映像や住戸外における当該子機の周囲近傍の映像（監視映像を含む。）を撮像するためのものであり、例えば、ＣＣＤ、ＣＭＯＳ等の撮像素子にて構成されている。また、照明灯１０２ａ、１０２ｂは、カメラ１０１ａ、１０１ｂにて撮像される映像の明るさを確保するために点灯されるものであり、白色光のような可視光の発光体を構成する図２に示す可視光ＬＥＤ１２０ａ、１２０ｂと、可視光の発光体が発光していないときに点灯する赤外光の発光体を構成する図２に示す赤外光ＬＥＤ１２１ａ、１２１ｂとを有している。さらに、子機マイク１０３ａ、１０３ｂ及び子機スピーカ１０４ａ、１０４ｂは、来訪者が居住者との間で通話を成立させるための音声（送話音声、受話音声）を入出力するものである。
【００１６】
また、同図に示す親機２には、親機操作部２００、モニタ２０１、親機マイク２０２及び親機スピーカ２０３が備えられている。
【００１７】
この親機２において、親機操作部２００は、居住者が来訪者からの呼出しに応答して親機マイク２０２及び親機スピーカ２０３の使用による通話を開始する応答操作又は当該通話を終了するための終話操作や、居住者が第１、第２の子機１ａ、１ｂの照明灯１０２ａ、１０２ｂの駆動を開始させるための操作等を行うものであり、例えば、通話ボタン、照明ボタンやタッチパネルにて構成されている。また、モニタ２０１は、第１、第２の子機１ａ、１ｂのカメラ１０１ａ、１０１ｂにて撮像された映像を出画するためのものであり、例えば、ＬＣＤ、有機ＥＬディスプレイ等の表示・出画媒体にて構成され、このモニタ２０１は、来訪者による第１、第２の子機１ａ、１ｂからの呼出しを報知するための呼出報知機能も有している。さらに、親機マイク２０２及び親機スピーカ２０３は、居住者が来訪者の間で通話を成立させるための音声（送話音声、受話音声）を入出力するものであり、この親機スピーカ２０３は、来訪者による第１、第２の子機１ａ、１ｂからの呼出しを報知するための呼出報知機能も有している。
【００１８】
次に、本発明の第１、第２の実施例に適用される第１、第２の子機１ａ、１ｂ及び親機２の具体的な構成について、図２のブロック図を参照して説明する。
【００１９】
図２に示す第１、第２の子機１ａ、１ｂには、前述の子機操作部１００ａ、１００ｂ、カメラ１０１ａ、１０１ｂ、照明灯１０２ａ、１０２ｂ、子機マイク１０３ａ、１０３ｂ及び子機スピーカ１０４ａ、１０４ｂと、子機映像処理回路１０５ａ、１０５ｂ、子機音声処理回路１０６ａ、１０６ｂ、照度検出回路１０７ａ、１０７ｂ、可視光照明灯駆動回路１０８ａ、１０８ｂ、赤外光照明灯駆動回路１０９ａ、１０９ｂ、子機電源回路１１０ａ、１１０ｂ、子機制御回路１１１ａ、１１１ｂ及び子機Ｉ／Ｆ１１２ａ、１１２ｂとが備えられている。
【００２０】
この第１、第２の子機１ａ、１ｂにおいて、子機映像処理回路１０５ａ、１０５ｂは、カメラ１０１ａ、１０１ｂにて撮像された映像（映像信号）について所定の信号処理を行うものであり、例えば、ＦＭ変調や増幅を行うことができる。また、子機音声処理回路１０６ａ、１０６ｂは、子機マイク１０３ａ、１０３ｂ及び子機スピーカ１０４ａ、１０４ｂにて入出力される音声（音声信号）について所定の信号処理を行うものであり、例えば、音声（音声信号）の４線／２線変換や２線／４線変換を行うことができる。また、照度検出回路１０７ａ、１０７ｂは、前述の被写体又はカメラ１０１ａ、１０１ｂにて撮像される映像の明るさを検出するためのものであり、ここでは、カメラ１０１ａ、１０１ｂに内蔵される撮像素子で兼用されている。また、子機電源回路１１０ａ、１１０ｂは、親機２の後述する親機電源回路２０６から供給されてくる（子機用の）待受電源又は動作電源を受電し、当該子機の構成各部／回路に電源供給するためのものである。また、子機制御回路１１１ａ、１１１ｂは、当該子機の構成各部／回路を制御するためのものである。さらに、子機Ｉ／Ｆ１１２ａ、１１２ｂは、子機映像処理回路１０５ａ、１０５ｂから子機・親機ラインＬへの映像（映像信号）の信号伝送路、子機音声処理回路１０６ａ、１０６ｂ及び子機・親機ラインＬ間における音声（音声信号）の信号伝送路（通話路）、子機・親機ラインＬを経由して親機２から供給されてくる（子機用の）待受電源又は動作電源の子機電源回路１１０ａ、１１０ｂへの電源供給路、子機制御回路１１１ａ、１１１ｂ及び子機・親機ラインＬ間における制御用の信号伝送路をそれぞれ形成するためのものである。
【００２１】
また、本発明の第１の実施例に適用される第１の子機１ａの可視光照明灯駆動回路１０８ａは、照明灯１０２ａを構成する可視光ＬＥＤ１２０ａの点滅の周期をＰＦＭ（Pulse Frequency Modulation）駆動して当該点滅の周期を時間の経過に伴い変化することで照明灯１０２ａの光量を増加させるために、子機制御回路１１１ａにより制御されるものであって、トランジスタ（スイッチングトランジスタ）１８０ａ、抵抗（電流制限抵抗）１８１ａが備えられている。このトランジスタ１８０ａのベースは子機制御回路１１０ａ（の制御出力側）に、コレクタは抵抗１８１ａを経由して可視光ＬＥＤ１２０ａ（のカソード）に、エミッタは基準電位点にそれぞれ接続されている。
【００２２】
また、本発明の第１の実施例に適用される第１の子機１ａの赤外光照明灯駆動回路１０９ａは、照明灯１０２ａを構成する赤外光ＬＥＤ１２１ａを点灯させるために、子機制御回路１１１ａにより制御されるものであって、トランジスタ（スイッチングトランジスタ）１９０ａ、抵抗（電流制限抵抗）１９１ａが備えられている。このトランジスタ１９０ａのベースは子機制御回路１１１ａ（の制御出力側）に、コレクタは抵抗１９１ａを経由して赤外光ＬＥＤ１２１ａ（のカソード）に、エミッタは基準電位点にそれぞれ接続されている。
【００２３】
また、本発明の第２の実施例に適用される第２の子機１ｂの可視光照明灯駆動回路１０８ｂは、照明灯１０２ｂを構成する可視光ＬＥＤ１２０ｂの点消灯の周期をＰＷＭ（Pulse Width Modulation）駆動して当該点消灯の周期を時間の経過に伴い変化することで照明灯１０２ｂの光量を増加させるために、子機制御回路１１１ｂにより制御されるものであって、トランジスタ（スイッチングトランジスタ）１８０ｂ、抵抗（電流制限抵抗）１８１ｂが備えられている。このトランジスタ１８０ｂのベースは子機制御回路１１１ｂ（の制御出力側）に、コレクタは抵抗１８１ｂを経由して可視光ＬＥＤ１２０ｂ（のカソード）に、エミッタは基準電位点にそれぞれ接続されている。
【００２４】
さらに、本発明の第２の実施例に適用される第２の子機１ｂの赤外光照明灯駆動回路１０９ｂは、照明灯１０２ｂを構成する赤外光ＬＥＤ１２１ｂを点灯させるために、子機制御回路１１１ｂにより制御されるものであって、トランジスタ（スイッチングトランジスタ）１９０ｂ、抵抗（電流制限抵抗）１９１ｂが備えられている。このトランジスタ１９０ｂのベースは子機制御回路１１１ｂ（の制御出力側）に、コレクタは抵抗１９１ｂを経由して赤外光ＬＥＤ１２１ｂ（のカソード）に、エミッタは基準電位点にそれぞれ接続されている。
【００２５】
次に、図２に示す親機２には、前述の親機操作部２００、モニタ２０１、親機マイク２０２及び親機スピーカ２０３と、親機映像処理回路２０４、親機音声処理回路２０５、親機電源回路２０６、親機制御回路２０７及び親機Ｉ／Ｆ２０８とが備えられている。
【００２６】
この親機２において、親機映像処理回路２０４は、子機・親機ラインＬ間を経由して第１、第２の子機１ａ、１ｂから伝送されてくる映像（映像信号）について所定の信号処理を行うものであり、例えば、ＦＭ復調や増幅を行うことができる。また、親機音声処理回路２０５は、親機マイク２０２及び親機スピーカ２０３にて入出力される音声（音声信号）について所定の信号処理を行うものであり、例えば、音声（音声信号）の４線／２線変換や２線／４線変換を行うことができる。また、親機電源回路２０６は、図示しない商用電源を整流・平滑して得られる直流電源をもとに（親機用の）待受電源又は動作電源を生成して当該親機の構成各部／回路に電源供給するとともに、（子機用の）待受電源又は動作電源を生成するためのものである。また、親機制御回路２０７は、当該親機の構成各部／回路を制御するためのものである。さらに、親機Ｉ／Ｆ２０８は、子機・親機ラインＬから親機映像処理回路２０４への映像（映像信号）の信号伝送路、親機音声処理回路２０５及び子機・親機ラインＬ間における音声（音声信号）の信号伝送路（通話路）、親機電源回路２０６から子機・親機ラインＬへの（子機用の）待受電源又は動作電源の電源供給路、親機制御回路２０７及び子機・親機ラインＬ間における制御用の信号伝送路をそれぞれ形成するためのものである。
【００２７】
このように構成された本発明の第１、第２の実施例によるテレビドアホン装置において、以下、具体的な動作について、図１、図２及び図３（Ａ）、（Ｂ）のパルス波形図をそれぞれ参照して説明する。
【００２８】
最初に、本発明の第１の実施例によるテレビドアホン装置の具体的な動作を説明するにあたり、当該装置が待受状態であるとき、図２に示す親機２の親機電源回路２０６は、待受電源を生成して当該親機の構成各部／回路に電源供給している。また、親機電源回路２０６は、同様に生成した子機用の待受電源を、親機Ｉ／Ｆ２０８、子機・親機ラインＬ、第１の子機１ａの子機Ｉ／Ｆ１１２ａを経由して子機電源回路１１０ａに供給することにより、この子機電源回路１１０ａから当該子機の構成各部／回路に待受電源が電源供給されることになる。
【００２９】
前述の待受状態である例えば、夜間時等において、来訪者が居住者を呼出すにあたり、図１、図２に示す第１の子機１ａの子機操作部１００ａを使用して所定の呼出操作を行うと、この操作を検出した子機制御回路１１１ａにて呼出信号が生成される。また、子機制御回路１１１ａにて生成された呼出信号は、子機Ｉ／Ｆ１１２ａ、子機・親機ラインＬ、親機２の親機Ｉ／Ｆ２０８を経由して親機制御回路２０７に伝送される。
【００３０】
親機２の親機制御回路２０７は、子機・親機ラインＬを経由して第１の子機１ａから伝送されてきた呼出信号をもとに来訪者からの呼出しがあることを検出し、その旨の呼出報知について例えば、親機スピーカ２０３からの呼出音や音声メッセージ等の出力、モニタ２０１への文字メッセージや絵データ等の表示を利用して行うことができる。また、親機制御回路２０７は、親機電源回路２０６を制御して前述の待受電源よりも高い電圧レベルの動作電源を当該親機の構成各部／回路に電源供給するとともに、同様に電圧レベルが制御された子機用の動作電源を生成し、親機Ｉ／Ｆ２０８、子機・親機ラインＬ、第１の子機１ａの子機Ｉ／Ｆ１１２ａを経由して子機電源回路１１０ａに供給することにより、この子機電源回路１１０ａから当該子機の構成各部／回路に動作電源が電源供給されることになる。
【００３１】
次に、前述のような動作電源が電源供給されると、第１の子機１ａの子機制御回路１１１ａの制御によってカメラ１０１ａが能動となり、被写体である呼出操作を行った来訪者の映像（当該子機の周囲近傍の映像を含む。）の撮像が開始される。この映像は、子機映像処理回路１０５ａ、子機Ｉ／Ｆ１１２ａ、子機・親機ラインＬ、親機２の親機Ｉ／Ｆ２０８、親機映像処理回路２０４を経由してモニタ２０１に伝送されることにより、被写体である呼出操作を行った来訪者（当該子機の周囲近傍の映像を含む。）の映像のモニタ２０１への出画動作が開始されることになる。
【００３２】
また、前述のように第１の子機１ａのカメラ１０１ａが能動となると、このカメラ１０１ａに内蔵された撮像素子として兼用されている照度検出回路１０７ａにて被写体又は映像（映像信号）の明るさが検出され、その検出データが所定の閾値レベル未満であり、例えば、夜間時等の暗いレベルであると子機制御回路１１１ａが判断すると、この子機制御回路１１１ａは、照明灯１０２ａを構成する可視光ＬＥＤ１２０ａの点滅の周期を図３（Ａ）に示す周期でＰＦＭ駆動させ点滅の周期を時間の経過に伴い変化するように可視光照明灯駆動回路１０８ａのトランジスタ１８０ａへの出力パルスを制御する。具体的には、実効的な光量が少ない早い点滅パターンの周期ｆ１をもとに微分処理を行い一定幅のパルスを算出した後、一定時間ｔ内にその数が増減するパルスの積分処理を行うことで直流成分を導き出すことにより、点滅の周期が実効的な光量が大きい遅い点滅パターンの周期ｆ２に移行されるように制御（デジタル制御）することによって、時間の経過に伴い照明灯１０２ａの光量が増加されるため、来訪者等の人物の目に対する過度な刺激を抑えることができる。一方、照度検出回路１０７ａの検出データが所定の閾値レベル以上であり、前述の来訪者による呼出時である夜間時とは異なる例えば、昼間時等の明るいレベルであると子機制御回路１１１ａが判断した場合には、可視光照明灯駆動回路１０８ａは何ら動作せず、ゆえに照明灯１０２ａを構成する可視光ＬＥＤ１２０ａは消灯のまま保持される。
【００３３】
なお、第１の子機１ａの照明灯１０２ａを構成する可視光ＬＥＤ１２０ａが消灯しているとき、子機制御回路１１１ａは、照明灯１０２ａを構成する赤外光ＬＥＤ１２１ａを点灯させるように赤外光照明灯駆動回路１０９ａのトランジスタ１９０ａへの出力パルスを制御することができる。この制御により、照明灯１０２ａを構成する赤外光ＬＥＤ１２１ａが点灯するため、来訪者等の人物の目に対する刺激はない状態で、前述の明るさは確保されることになる。
【００３４】
さらに、前述のような呼出報知をもとに来訪者による第１の子機１ａからの呼出しがあり、明るさが確保された来訪者の映像（映像信号）を確認した居住者が親機２の親機操作部２００を使用して所定の応答操作を行うと、この操作を検出した親機制御回路２０８及び子機制御回路１１０ａの制御により、親機マイク２０２から親機音声処理回路２０５、親機Ｉ／Ｆ２０８、子機・親機ラインＬ、子機Ｉ／Ｆ１１２ａ、子機音声処理回路１０６ａを経由して子機スピーカ１０４ａへの信号伝送路と、子機マイク１０３ａから子機音声処理回路１０６ａ、子機Ｉ／Ｆ１１２ａ、子機・親機ラインＬ、親機Ｉ／Ｆ２０８、親機音声処理回路２０５、親機スピーカ２０３への信号伝送路とがそれぞれ形成され、形成された信号伝送路を経由して音声信号を送受信することにより、特に、居住者にとっては、明るさが確保された視認性の高い来訪者の映像を確認しつつ、この来訪者との間の通話を成立させることができる。
【００３５】
次に、本発明の第２の実施例によるテレビドアホン装置の具体的な動作を説明するにあたり、当該装置が待受状態であり、例えば、夜間時等において、来訪者が居住者を呼出すにあたり第２の子機１ｂの子機操作部１００ｂを使用して所定の呼出操作を行った際の親機２の親機制御回路２０７の制御による呼出報知までの動作、親機制御回路２０７の制御による動作電源の供給動作については、本発明の第１の実施例の該当動作と同様であるため、その説明は省略するものとする。
【００３６】
第１の実施例と同様な動作電源が電源供給されると、第２の子機１ｂの子機制御回路１１１ｂの制御によってカメラ１０１ｂが能動となり、被写体である呼出操作を行った来訪者の映像（当該子機の周囲近傍の映像を含む。）の撮像が開始される。この映像は、子機映像処理回路１０５ｂ、子機Ｉ／Ｆ１１２ｂ、子機・親機ラインＬ、親機２の親機Ｉ／Ｆ２０８、親機映像処理回路２０４を経由してモニタ２０１に伝送されることにより、被写体である呼出操作を行った来訪者（当該子機の周囲近傍の映像を含む。）の映像のモニタ２０１への出画動作が開始されることになる。
【００３７】
また、前述のように第２の子機１ｂのカメラ１０１ｂが能動となると、このカメラ１０１ｂに内蔵された撮像素子として兼用されている照度検出回路１０７ｂにて被写体又は映像（映像信号）の明るさが検出され、その検出データが所定の閾値レベル未満であり、例えば、夜間時等の暗いレベルであると子機制御回路１１１ｂが判断すると、この子機制御回路１１１ｂは、照明灯１０２ｂを構成する可視光ＬＥＤ１２０ｂの点消灯の周期を図３（Ｂ）に示す周期でＰＷＭ駆動させ点消灯の周期を時間の経過に伴い変化するように可視光照明灯駆動回路１０８ｂのトランジスタ１８０ｂへの出力パルスを制御する。具体的には、点消灯の周期を時間で表す消灯時間ｔ２と比較して短い点灯時間ｔ１の関係「ｔ２＞ｔ１、但し、ｔ１＋ｔ２＝一定」から、消灯時間ｔ２と比較して長い点灯時間ｔ１の関係「ｔ２＜ｔ１、但し、ｔ１＋ｔ２＝一定」の関係に移行されるようにデジタル制御することにより、時間の経過に伴い照明灯１０２ｂの光量が増加されるため、来訪者等の人物の目に対する過度な刺激を抑えることができる。一方、照度検出回路１０７ｂの検出データが所定の閾値レベル以上であり、前述の来訪者による呼出時である夜間時とは異なる例えば、昼間時等の明るいレベルであると子機制御回路１１１ｂが判断した場合には、可視光照明灯駆動回路１０８ｂは何ら動作せず、ゆえに照明灯１０２ｂを構成する可視光ＬＥＤ１２０ｂは消灯のまま保持される。
【００３８】
なお、第２の子機１ｂの照明灯１０２ｂを構成する可視光ＬＥＤ１２０ｂが消灯しているとき、子機制御回路１１１ｂは、照明灯１０２ｂを構成する赤外光ＬＥＤ１２１ｂを点灯させるように赤外光照明灯駆動回路１０９ｂのトランジスタ１９０ｂへの出力パルスを制御することができる。この制御により、照明灯１０２ｂを構成する赤外光ＬＥＤ１２１ｂが点灯するため、来訪者等の人物の目に対する刺激はない状態で、前述の明るさは確保されることになる。
【００３９】
さらに、前述のような呼出報知をもとに来訪者による第２の子機１ｂからの呼出しがあり、明るさが確保された来訪者の映像（映像信号）を確認した居住者が親機２の親機操作部２００を使用して所定の応答操作を行うと、この操作を検出した親機制御回路２０８及び子機制御回路１１１ｂの制御により、親機マイク２０２から親機音声処理回路２０５、親機Ｉ／Ｆ２０８、子機・親機ラインＬ、子機Ｉ／Ｆ１１２ｂ、子機音声処理回路１０６ｂを経由して子機スピーカ１０４ｂへの信号伝送路と、子機マイク１０３ｂから子機音声処理回路１０６ｂ、子機Ｉ／Ｆ１１２ｂ、子機・親機ラインＬ、親機Ｉ／Ｆ２０８、親機音声処理回路２０５、親機スピーカ２０３への信号伝送路とがそれぞれ形成され、形成された信号伝送路を経由して音声信号を送受信することにより、特に、居住者にとっては、明るさが確保された視認性の高い来訪者の映像を確認しつつ、この来訪者との間の通話を成立させることができる。
【００４０】
本発明のテレビドアホン装置においては、特定の実施の形態をもって説明してきたが、この形態に限定されるものでなく、本発明の効果を奏する限り、これまで知られた如何なる構成の当該装置であっても採用できるということはいうまでもないことである。
【００４１】
具体的に本発明の実施例においては、第１、第２の子機１ａ、１ｂのカメラ１０１ａ、１０１ｂにて映像を撮像するタイミングとして、来訪者が子機操作部１００ａ、１００ｂを使用して呼出操作を行った呼出時を適用したが、このタイミングに限定されるものではない。例えば、居住者が住戸外の様子を親機２のモニタ２０１を使用して監視するにあたり、親機操作部２００を使用して所定の監視操作を行い、カメラ１０１ａ、１０１ｂにて監視映像を撮像する場合であっても同様な効果を奏することができる。
【００４２】
また、本発明の実施例においては、第１、第２の子機１ａ、１ｂに設けられる照度検出回路１０７ａ、１０７ｂを、カメラ１０１ａ、１０１ｂに内蔵された撮像素子として兼用させたが、この態様に限定されるものではない。例えば、カメラ１０１ａ、１０１ｂから独立して設けられる照度センサ等を適用した場合であっても同様な効果を奏することができる。
【符号の説明】
【００４３】
１ａ、１ｂ……第１、第２の子機
１０１ａ、１０１ｂ……カメラ
１０８ａ、１０８ｂ……可視光照明灯駆動回路（光量制御部）
１１１ａ、１１１ｂ……子機制御回路（光量制御部）
２……親機
２０１……モニタ
ｆ１、ｆ２……（照明灯の）点滅の周期
ｔ１、ｔ２……（照明灯の）点消灯の周期
【図１】
2012175610.tif 000003
【図２】
2012175610.tif 000004
【図３】
2012175610.tif 000005